(57)【要約】【課題】  眼底カメラを用いた前眼部の撮影において、徹照像、非徹照像を撮影可能にする。【解決手段】  照明光軸が撮影光軸と同軸である被検眼眼底を撮像手段によって撮像するための眼底照明光源を有する眼底カメラにおいて、撮影対象となる部位及び撮影目的に応じた複数の撮影モードの内の一つを実行する制御手段と、撮影モードを切り替える撮影モード切り替え手段と、照明光軸が撮影光軸に対して傾斜するように配置されて前眼部を照明する前眼部照明光を照射する前眼照明光源と、を配し、撮影モードの切り替えに応じて眼底照明光源と前眼照明光源との何れかを選択して撮像手段の操作に応じて選択した何れかを動作させる、ことを特徴とする。【選択図】  図２
2014217422.tif 000002
【特許請求の範囲】
【請求項１】
被検眼眼底を照明する照明光を照射する眼底照明光源と、
前記被検眼からの反射光により前記被検眼を観察／撮影するための撮像手段と、
前記照明光の照明光軸と前記撮像手段に前記反射光を導く際の撮影光軸とが同軸となる撮影／照明光学系と、
撮影対象となる部位及び撮影目的に応じた複数の撮影モードの内の一つを実行する制御手段と、
前記撮影モードを切り替える撮影モード切り替え手段と、
照明光軸が前記撮影光軸に対して傾斜するように配置されて前記被検眼の前眼部を照明する前眼部照明光を照射する前眼照明光源と、を有し
前記制御手段は、前記撮影モードの切り替えに応じて前記眼底照明光源と前記前眼照明光源との何れかを選択して前記撮像手段の操作に応じて選択した何れかを動作させる、ことを特徴とする眼底カメラ。 
【請求項２】
前記複数の撮影モードの内、少なくとも一つが徹照像撮影モードであり、
前記制御手段は前記徹照像撮影モードの選択に応じて、前記眼底照明光源からの前記照明光により被検眼を照明させる、ことを特徴とする請求項１に記載の眼底カメラ。
【請求項３】
前記複数の撮影モードの内、少なくとも一つが非徹照像撮影モードであり、
前記制御手段は前記非徹照像撮影モードの選択に応じて、前記前眼照明光源からの前記前眼部照明光により被検眼を照明させる、ことを特徴とする請求項１に記載の眼底カメラ。
【請求項４】
前記前眼照明光源が赤外光／可視光切り替え手段を有し、
前記赤外光／可視光切り替え手段は、前記前眼部の観察時には前記前眼部照明光として前記前眼照明光源に赤外光を照射させ、前記前眼部の撮影時には前記前眼部照明光として可視光を照射させる、ことを特徴とする請求項１に記載の眼底カメラ。
【請求項５】
前記前眼照明光源が外部固視目標光源を兼ねる、ことを特徴とする請求項１に記載の眼底カメラ。
【請求項６】
前記前眼照明光源は、前記撮影光軸に対して、前記被検眼の下方から前記前眼部照明光を照射する、ことを特徴とする請求項１２に記載の眼底カメラ。
【請求項７】
前記前眼照明光源が複数配置されている、ことを特徴とする請求項１に記載の眼底カメラ。
【請求項８】
対物レンズを介して被検眼の眼底を照明する眼底照明光源と、
前記対物レンズを介さずに前記被検眼の前眼を照明する前眼照明光源と、
前記被検眼の徹照像の取得が指示された場合には前記眼底照明光源を用いて前記被検眼を照明させる一方、前記徹照像とは異なる前記被検眼の前眼部像の取得が指示された場合には前記前眼照明光源を用いて被検眼を照明させる制御手段と、
を備えることを特徴とする眼科装置。
【発明の詳細な説明】
【技術分野】
【０００１】
本発明は眼底カメラに関する発明である。
【背景技術】
【０００２】
一般的な眼底カメラでは、眼球の中心部分を光軸に合わせるラフアライメントを行なうために被検眼前眼部を観察する前眼観察モード、さらに詳細に眼球位置やフォーカス位置を合わせ、アライメントを行ない、被検眼眼底部を観察／撮影する眼底撮影モードがある。
【０００３】
また、近年、臨床現場では被検眼の前眼撮影機能へのニーズが高まっており、被検眼前眼部の撮影が行える前眼撮影モードを有する眼底カメラもある。特許文献１によれば、被検眼の角膜、前房、水晶体、硝子体等の中間透光体の混濁や色素沈着を観察するのに適した徹照像を、スリット照明光束を用いて撮影可能な構成が開示されている。
【先行技術文献】
【特許文献】
【０００４】
【特許文献１】特開２００７−１５１６５１号公報
【発明の概要】
【発明が解決しようとする課題】
【０００５】
眼疾患には中間透光体のみならず周辺領域に症状が出るものもあり、前眼部を広範囲に観察する必要があるが、スリット照明光束を用いての前眼撮影像では広範囲の観察には適さない。また、前眼撮影において、撮影光軸と照明光軸とが同軸である場合に得られる前眼部像である徹照像は瞳孔部が白く映るため、瞳孔径や瞳孔形状の観察をする際、虹彩部の輝度値が高い被検眼に対し、瞳孔部と虹彩部の輝度差が小さくなり瞳孔が観察しづらいという問題点がある。ここで、前眼撮影において、撮影光軸に対し照明光軸が傾斜している場合に得られる前眼部の平面像である非徹照像は、瞳孔部が黒く映るため、虹彩部の輝度値が高い被検眼に対し、瞳孔部と虹彩部の輝度差が大きくなり瞳孔が観察しやすい。
そこで本発明は、前眼撮影モードを有する眼底カメラにおいて、前眼部の徹照像、非徹照像どちらも撮影することのできる眼底カメラを提供することを目的とする。
【課題を解決するための手段】
【０００６】
上記課題を解決するために、本発明に係る眼底カメラは、被検眼眼底を照明する照明光を照射する眼底照明光源と、前記被検眼からの反射光により前記被検眼を観察／撮影するための撮像手段と、前記照明光の照明光軸と前記撮像手段に前記反射光を導く際の撮影光軸とが同軸となる撮影／照明光学系と、撮影対象となる部位及び撮影目的に応じた複数の撮影モードの内の一つを実行する制御手段と、前記撮影モードを切り替える撮影モード切り替え手段と、照明光軸が前記撮影光軸に対して傾斜するように配置されて前記被検眼の前眼部を照明する前眼部照明光を照射する前眼照明光源と、を有し前記制御手段は、前記撮影モードの切り替えに応じて前記眼底照明光源と前記前眼照明光源との何れかを選択して前記撮像手段の操作に応じて選択した何れかを動作させる、ことを特徴とする。
【発明の効果】
【０００７】
本発明を用いた眼底カメラは、前眼撮影において、照明光軸が撮影光軸と同軸である眼底照明光源を用いることで徹照像を得られ、照明光軸が撮影光軸に対して傾斜するように配置された前眼撮照明光源を用いることで非徹照像を得ることが出来る。
【図面の簡単な説明】
【０００８】
【図１】本発明の実施例を説明する眼底カメラの全体図である。
【図２】本発明の実施例を説明する眼底カメラの光学系の構成図である。
【図３】本発明の実施例を説明するフローチャートである。
【発明を実施するための形態】
【０００９】
［実施例］
本発明の実施例を適応した眼底カメラの詳細を図１乃至図３に基づいて説明する。
図１は本発明の実施例を説明する眼底カメラ全体図である。
なお、以下の実施例の説明に際し、以下に述べる非徹照像について予め述べる。本実施例において非徹照像とは、徹照像とは異なる被検眼の前眼部像のことを示す。あるいは、対物レンズを介さずに照明された被検眼からの戻り光に基づいて得られる前眼部像のことをさす場合もある。
【００１０】
被検眼を観察／撮影するための光学系を備えた光学本体１は、固定基台２上を前後／左右に移動可能な可動台３に固定されている。可動台３には前眼観察レンズ操作スイッチ４、撮影スイッチ５を有したアライメント操作部材６とフォーカス操作部材７と前眼撮影像選択スイッチ８が設置されている。検者はアライメント操作部材６を操作することで可動台３を移動させ、光学本体１と被検眼との位置合わせが出来るようになっている。また、固定基台２或いは可動台３のいずれかに、可動台３の前後方向位置を検知する可動台位置検知手段９が配されている。また、これら構成は、後述する制御手段たるＣＰＵ３４（図２参照）により制御される。
【００１１】
図２は本発明の実施例を説明する眼底カメラ光学系構成図である。
この眼底カメラ光学系は、大まかに分けて眼底撮影光源部O1、眼底観察光源部O2、照明光学系O3、撮影／照明光学系O4、撮影光学系O5、内部固視灯部O6、前眼照明光源部O7から構成される。また、本実施例に係る眼底カメラは、撮影モードとして、前眼観察モード、眼底撮影モード、さらに、前眼撮影モードとして、徹照像撮影モード、非徹照像撮影モードを有する。これら複数の撮影モードは、前述したＣＰＵ３４によりその態様が各々記憶されており、外部からの指示に応じて該ＣＰＵ３４に設けられた撮影モード切り替え手段として機能するモジュール領域により切り換えられ、その後実行される。
【００１２】
眼底撮影モード及び徹照像撮影モードでは、眼底撮影光源部O1または眼底観察光源部O2によって射出された光束が照明光学系O3、撮影／照明光学系O4を経て被検眼を照明し、その像は撮影／照明光学系O4、撮影光学系O5を経て撮像素子に結像される。また、前眼観察モード及び非徹照像撮影モードでは、前眼照明光源部O7によって射出された光束が被験眼を照明し、その像は撮影／照明光学系O4、撮影光学系O5を経て撮像素子に結像される。
【００１３】
眼底撮影光源部O1は以下の構成により可視光のリング照明を作り出す。１１は眼底撮影光源でありガラス管の中にXeを封入し電圧を印加することで発光し、撮影時に眼底像を記録するために十分な強度の可視光を得ることが可能である。また、近年ではLEDの光量アップが顕著であり、環状に配置したLEDアレイでも実現可能である。１２は撮影コンデンサレンズであり、一般的な球面レンズである。１３は撮影リングスリットであり環状の開口を持った平板である。１４は撮影水晶体バッフルであり、これも環状の開口を持った平板である。光束は撮影コンデンサレンズ１２によって眼底に向けて集光され、撮影リングスリット１３によって前眼部を通過するさいの光束形状を環状となるよう成形し、さらに撮影水晶体バッフル１４によって、被検眼水晶体へ投影される光束を制限し、眼底像に不要な被検眼の水晶体からの反射光が写りこむことを防いでいる。
【００１４】
眼底観察光源部O2は以下の構成により赤外光のリング照明を作り出す。１５は眼底観察光源であり、ハロゲンランプやLEDなど連続発光可能な光源であり素子の特性やフィルタによって赤外光を発する。１６は観察コンデンサレンズであり、一般的な球面レンズである。１７は観察リングスリットであり環状の開口を持った平板である。１８は観察水晶体バッフルであり、これも環状の開口を持った平板である。これらは眼底撮影光源部O1と光源の種類が異なるだけであり、機能は同じで、観察コンデンサレンズ１６で集光し、観察リングスリット１７で前眼部での光束の形状を整え、観察水晶体バッフル１８で眼底像への水晶体からの反射光の写りこみを防いでいる。
【００１５】
眼底撮影光源部O1及び眼底観察光源O2は、本発明における眼底照明光源を構成する。照明光学系O3にて眼底撮影光源部O1、眼底観察光源部O2で作られた光束をリレーするとともに、眼底像の焦点合わせのための指標像を造りこむ。１９はダイクロイックミラーであり、赤外光を透過、可視光を反射する。眼底撮影光源部O1で作られた可視光による光束は反射して、眼底観察光源部O2で作られた赤外光による光束は透過して照明光学系O3に導光される。２０は第一の照明リレーレンズ、２２は第二の照明リレーレンズであり、これらによってリング照明は被検眼に結像される。
【００１６】
２１はスプリットユニットであり、フォーカス指標を投影するためのフォーカス指標光源２１ａ、光源を分割するためのプリズム２１ｂ、フォーカス指標の外形を示すフォーカス指標マスク２１ｃを含む。また、これらを観察時に照明光学系O3に進入し図中矢印方向に移動することでフォーカス指標を光軸方向にシフト移動させる移動機構と、撮影時に照明光学系O3から退避させる進退機構とから構成されている。M1はスプリットシフト駆動モータ、S1はスプリット位置センサであり、スプリットユニット２１をシフト駆動してフォーカス指標の焦点を合わせ、かつ、その停止位置を検出する。またM2はスプリットユニット２１を照明光学系O3に対して進退させるためのスプリット進退駆動モータである。眼底観察時には照明光学系O3内に進入させ、観察像の中にスプリット指標を投影し、撮影時には照明光学系O3からスプリットユニット２１を退避させ、撮影像の中にフォーカス指標が写りこむことが無いように制御される。２３は角膜バッフルであり、眼底像に不要な被検眼の角膜からの反射光の写りこみを防いでいる。
【００１７】
撮影／照明光学系O4は被検眼２６に対して照明光束を投影するとともに、被検眼反射光束を導出する。なお、撮影／照明光学系O4の光軸は、本発明において、被検眼眼底を照明しうる照明光を照射する眼底照明光源の照明光軸に対応する。また、眼底用の照明光として被検眼に導かれる照明光の照明光軸と被検眼眼底にて反射されて該被検眼から射出される撮影光の光軸とは、被検眼への射込み時と射出時において撮影／照明光学系O4の光軸として同軸となる。２４は穴あきミラーであり、外周部がミラー、中央部が穴となっている。照明光学系O3から導かれた光束はミラー部分で反射して、対物レンズ２５を介して被検眼を照明する。眼底撮影照明光束の照明光軸と撮影光軸が同軸となるよう構成されており、被検眼からの反射光束は対物レンズ２５を戻り、穴あきミラー２４の中央部の穴をとおって撮影光学系O5に導出される。視軸、照明光軸、撮影光軸が同軸となることで前眼撮影時に徹照像を得ることが出来る。
【００１８】
撮影光学系O5は被検眼眼底像について焦点調節を行ったうえで撮像素子に結像する。２７は倍率拡大用の前眼観察補助レンズであり、前眼観察／撮影時に前眼観察補助レンズ進退駆動モータM3により撮影光学系O5内に進入し、眼底観察／撮影時に退避する。また、前眼観察補助レンズは不図示の強度遠視用視度補正レンズと共用しても良い。２８はフォーカスレンズであり撮影光束の焦点調節を行うためのレンズで、図中矢印方向に移動することで焦点調節を行う。M4はフォーカスレンズ駆動モータ、S4はフォーカスレンズ位置センサであり、フォーカスレンズ２８を駆動して焦点を合わせると共に、その停止位置を検出する。２９は撮像素子であり、本発明において被検眼からの反射光により観察／撮影を行なう撮像手段として、撮影光を光電変換する。撮像素子２９で得られた電気信号は、デジタルデータとすべく不図示の処理回路によってA-D変換され、赤外観察時には、表示器に表示され、撮影後には、不図示の記録媒体に記録される。
【００１９】
内部固視灯部O6はハーフミラー３０によって撮影光学系O5から光路が分割され、その光路に対して内部固視灯ユニット３１が対抗している。内部固視灯ユニット３１は複数のLEDによって構成され、検者が選択した固視部に対応した位置のLEDを点灯させる。被検者が点灯したLEDを固視することで、検者は所望の向きの眼底像を得ることができる。
【００２０】
焦点操作部材３２は検者が操作したときに、その停止位置を焦点操作部材位置センサS5によって検出可能となっている。
【００２１】
前眼照明光源部O7は被検眼２６に対して可視光または赤外光の照明光束を前眼部照明光として投影する。３３は前眼撮影光源であり、本発明において前眼照明光源として機能するLEDなどの光源で可視光を発する。前眼撮影光源３３は照明光軸と撮影光軸が傾斜するよう対物レンズ２５の略辺縁部に配置されており、被検眼２６に対して斜め方向から前眼部照明光を照射する。即ち、前眼部撮影光源からの前眼部照明光は、前述した撮影／照明光学系O4の光軸である照明光軸に対しいて傾斜して前記被検眼の前眼部を照明するように配置される。より具体的には、対物レンズ２５を介さずに被検眼２６を照明するように前眼撮影光源３３は配置される。なお、この前眼部照明光の被検眼を照明する際の光軸は、該被験眼に対して斜め下方から被検眼に至るように配置されることが好ましい。被検眼前眼部からの散乱光は撮影／照明光学系O4へと入光する。
【００２２】
ここで、前眼撮影照明光束の照明光軸へ進退可能なフィルタを設け、赤外光／可視光切り替えを可能とすることで、前眼撮影光源３３と不図示の前眼観察光源を共用しても良い。この場合、構成の簡素化等の観点から、前眼撮影光源３３に対して赤外光／可視光切り替え手段を配し、実際の前眼部照明光の切り替えを該前眼部撮影光源３３にて行うことが好ましい。また、被検眼の逆眼正面に配するもしくは移動可能とすることで、不図示の外部固視目標光源と共用しても良い。一方、前眼撮影光源３３の配置に関しては、被検眼２６を下方から照明するよう配置することで、照明光束を瞼に掛りにくくすることが可能である。また、複数配置、例えば対配置することで、撮影像の輝度ムラを低減することが可能である。
【００２３】
図３は本発明の実施例における眼底カメラ撮影時のフローチャートである。
（Ｓ００）検者は前眼撮影を行うか否か選択する。前眼撮影を行うときは、まず検者が可動台３を大きく検者側へ移動することで、可動台位置検知手段９がそれを検知し、前眼撮影モードへ移行する。前眼撮影を行う場合（Ｓ１２）に進み、前眼撮影を行わない場合（Ｓ０１）に進む。
（Ｓ０１）検者は眼底撮影を行うか否か選択する。眼底撮影を行うときは、検者が前眼観察補助レンズ操作スイッチ４を押下することで、前眼観察補助レンズ２７が撮影光学系O5へ進入し、前眼観察モードへ移行する。眼底撮影を行う場合（Ｓ０２）に進み、眼底撮影を行わない場合（Ｓ００）に戻る。
【００２４】
眼底撮影を行なう場合に関して、前眼観察モードでの位置合わせから眼底撮影モードでの撮影を行うまでの動作を説明する。
（Ｓ０２）前眼観察モードへ移行したことで、前眼観察光源の発光が開始され、被検眼前眼部に赤外光が照射される。
（Ｓ０３）検者は表示器に表示される撮影映像を観察しながら、アライメント操作部材６を操作し可動台３を移動することで、被検眼中心部と光軸を合わせるためのラフアライメントを行う。
（Ｓ０４）ラフアライメントが完了後、検者が前眼観察補助レンズ操作スイッチ４を押下することにより、前眼観察補助レンズ２７を撮影光学系O5より退避させ、眼底撮影モードへ移行する。
（Ｓ０５）眼底撮影モードへ移行したことで、前眼観察光源の発光が停止、眼底観察光源１５の発光が開始され、被検眼眼底に赤外光が照射される。
（Ｓ０６）検者は表示器の撮影映像を観察することで、アライメントに用いる指標が大きくずれていないかの判定を行う。ラフアライメント位置が大きくずれた場合は撮影映像にアライメント指標が見えなくなる。アライメント指標が見える場合（Ｓ０７）へ進み、見えない場合（Ｓ０１）へ戻る。
（Ｓ０７）検者がアライメント操作部材６を操作し、より詳細な位置合わせのためのアライメントを行う。
（Ｓ０８）検者がフォーカス操作部材７を操作し、撮影映像のピント合わせを行う。
（Ｓ０９）検者が撮影スイッチ５を押下する。
（Ｓ１０）眼底撮影光源が発光し、被検眼眼底に可視光が照射される。
（Ｓ１１）眼底像が撮影される。
【００２５】
次に前眼撮影モードでの撮影を行うときの動作を説明する。
（Ｓ１２）前眼撮影モードへ移行したことで、前眼観察補助レンズ２７が撮影光学系O5へ進入する。
（Ｓ１３）前眼観察補助レンズの進入とほぼ同時にフォーカスレンズ２８が遠視方向へ移動する。
（Ｓ１４）眼底観察光源１５の発光が開始され、被検眼前眼部に赤外光が照射される。
（Ｓ１５）徹照像撮影を行うか、非徹照像撮影を行うかを、検者が前眼撮影像選択スイッチ８より選択する。徹照像撮影モードを選択した場合（Ｓ１６）へ進み、非徹照像撮影モードを選択した場合（Ｓ２１）へ進む。
【００２６】
まず、徹照像撮影モードでの撮影を行うときの動作を説明する。
（Ｓ１６）検者が表示器に表示される撮影映像を観察しながら、アライメント操作部材６を操作し可動台３を移動することで、被検眼中心部と光軸を合わせるためのアライメントを行う。
（Ｓ１７）検者がフォーカス操作部材７を操作し、撮影映像のピント合わせを行う。
（Ｓ１８）検者が撮影スイッチ５を押下する。
（Ｓ１９）眼底撮影光源１１が発光し、被検眼２６に可視光が照射される。
（Ｓ２０）徹照像が撮影される。
【００２７】
次に、非徹照像撮影モードでの撮影を行うときの動作を説明する。
（Ｓ２１）検者が表示器に表示される撮影映像を観察しながら、アライメント操作部材６を操作し可動台３を移動することで、被検眼２６の撮影したい箇所が中心となるようアライメントを行う。
（Ｓ２２）検者がフォーカス操作部材７を操作し、撮影映像のピント合わせを行う。
（Ｓ２３）検者は撮影スイッチ５を押下する。
（Ｓ２４）前眼撮影光源３３が発光し、被検眼２６に可視光が照射される。
（Ｓ２５）非徹照像が撮影される。
【００２８】
以上の操作において、ＣＰＵ３４は、撮影モード切り替えに応じて眼底照明光源と前眼撮影光源との何れかを選択して撮像手段の操作に応じて選択した何れかを動作させる、制御手段として機能する。なお、徹照像撮影時と非徹照像撮影時との各々における、撮影装置の対物レンズと例えば角膜等の撮影対象となる被検眼の部位との距離である所謂ワーキングディスタンスは、同一とされている。また、該ワーキングディスタンスは、被検眼の眼底を撮影する際のワーキングディスタンスよりも長く設定されている。或いは、該制御手段は、被検眼の徹照像の取得が指示された場合には眼底照明光源を用いて被検眼を照明させる一方、徹照像とは異なる被検眼の前眼部像の取得が指示された場合には前眼照明光源を用いて被検眼を照明させる制御手段として機能することも好ましい。
【００２９】
前眼撮影において、徹照像、非徹照像は撮影目的が異なるため連続して撮影する可能性がある。徹照像、非徹照像を連続して撮影する場合、徹照像の撮影を先に行う方が望ましい。これは、被検眼眼底へ照明光を照射し、反射光を撮影する徹照像の方が縮瞳の影響を受けやすいためである。より詳細には、被検眼に照明光を照射した場合、通常瞳孔は縮瞳し、その大きさが小さくなる。徹照像の撮影に際しては瞳孔に光束を導くことを要するが、縮瞳時ではその操作が制限を受ける。これに対して、非徹照像の撮影時にあってはこのような光束の導入が不要であるため、瞳孔が開いた状態で光束を導いて徹照像を撮影し、その後瞳孔の縮瞳の影響が許容される非徹照像の撮影が行なわれる。
また、左右眼を連続で撮影する場合は、一方の眼において徹照像を撮影後に非徹照像を撮影し、その後他方の眼について徹照像、非徹照像の順の撮影を行なうことが好ましい。この場合、上記実施例に対して、左右眼の選択を行なうための手段であって、その選択に応じて光学系を駆動させる選択手段を配すれば良い。これにより装置の駆動操作を最小限にて済ませることが可能となる。実際のフローにおいては図３に示すフローチャートにおいて、Ｓ００の前に左右眼の何れかを選択する該選択手段により行なわれる左右眼の選択ステップを配し、更にフロー終了直前に他方の目の撮影を行なうか否かを問う、制御手段として機能するＣＰＵ３４により行われる工程を配すると良い。
【００３０】
以上のような構成の眼底カメラであれば、前眼撮影において撮影目的に合わせ徹照像、非徹照像を撮影することが出来る。
【００３１】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００３２】
1：光学本体
2：固定基台
3：可動台
4：前眼観察補助レンズ操作スイッチ
5：撮影スイッチ
6：アライメント操作部材
7：フォーカス操作部材
8：前眼撮影像選択スイッチ
9：可動台位置検出手段
11：眼底撮影光源
12：撮影コンデンサレンズ
13：撮影リングスリット
14：撮影水晶体バッフル
15：眼底観察光源
16：観察コンデンサレンズ
17：観察リングスリット
18：観察水晶体バッフル
19：ダイクロイックミラー
20：第一の照明リレーレンズ
21：スプリットユニット
21a：スプリットLED
21b：プリズム
21c：フォーカス指標マスク
22：第二の照明リレーレンズ
23：角膜バッフル
24：穴あきミラー
25：対物レンズ
26：被検眼
27：前眼観察補助レンズ
28：フォーカスレンズ
29：撮像素子
30：ハーフミラー
31：内部固視灯ユニット
32：焦点操作部材
33：前眼撮影光源
34 : CPU
O1：眼底撮影光源部
O2：眼底観察光源部
O3：照明光学系
O4：撮影／照明光学系
O5：撮影光学系
O6：内部固視灯部
M1：スプリットシフト駆動モータ
M2：スプリット進退駆動モータ
M3：前眼観察補助レンズ駆動モータ
M4：フォーカスレンズ進退駆動モータ
S1：スプリット位置センサ
S3：フォーカスレンズ位置センサ
S5：焦点操作部材位置センサ
【図１】
2014217422.tif 000003
【図２】
2014217422.tif 000004
【図３】
2014217422.tif 000005